(57)【要約】【課題】  ヒューズ可溶体を取り付けるものにあって、金型のコスト低減を図ることができる電気接続箱を提供する。【解決手段】  ヒューズキャビティ部６に複数のヒューズ可溶体７をインサート成形してヒューズ一体型キャビティ５を形成し、且つ、ヒューズ一体型キャビティ５のヒューズキャビティ部６をメインカバー３に一体成形した。【選択図】      図１
2005174761.tif 000002
【特許請求の範囲】
【請求項１】
接続箱本体にヒューズキャビティ部を備えた電気接続箱において、
前記ヒューズキャビティ部に複数のヒューズ可溶体をインサート成形してヒューズ一体型キャビティを形成し、且つ、このヒューズ一体型キャビティの前記ヒューズキャビティ部を前記接続箱本体に一体成形したことを特徴とする電気接続箱。
【請求項２】
接続箱本体にヒューズキャビティ部を備えた電気接続箱において、
前記ヒューズキャビティ部に複数のヒューズ可溶体をインサート成形してヒューズ一体型キャビティを形成し、このヒューズ一体型キャビティを接続箱本体に着脱自在に取り付けたことを特徴とする電気接続箱。
【請求項３】
請求項２記載の電気接続箱であって、
前記ヒューズキャビティ部にロック部を一体成形により形成し、このロック部を前記接続箱本体のロック嵌合部に嵌合することで前記ヒューズ一体型キャビティを該接続箱本体に着脱自在に取り付けたことを特徴とする電気接続箱。
【請求項４】
接続箱本体にヒューズキャビティ部を備えた電気接続箱において、
前記ヒューズキャビティ部に単一のヒューズ可溶体をインサート成形すると共にロック部を一体成形してヒューズ一体型キャビティを形成し、前記ロック部を前記接続箱本体のロック嵌合部に嵌合することで前記ヒューズ一体型キャビティを該接続箱本体に着脱自在に取り付けたことを特徴とする電気接続箱。
【発明の詳細な説明】
【技術分野】
【０００１】
本発明は、接続箱本体にヒューズ可溶体を取り付けた電気接続箱に関する。
【背景技術】
【０００２】
この種の電気接続箱として、図５に示すものがある（例えば、特許文献１参照）。この電気接続箱５０は、図５に示すように、接続箱本体５１を有し、この接続箱本体５１の上面にはヒューズキャビティ部５２が配置されている。このヒューズキャビティ部５２はその一端側がヒンジ５３を介して接続箱本体５１に連結され、他端にロック部５４が設けられている。このロック部５４を接続箱本体５１のロック嵌合部５５に嵌合することによって接続箱本体５１に取り付けられる。ヒューズキャビティ部５２には複数のヒューズ収容室５６が設けられ、この各ヒューズ収容室５６に上方から挿入によってヒューズ５７が取り付けられる。ヒューズ５７は、ヒューズ可溶体５７ａと、このヒューズ可溶体５７ａの外装樹脂部５７ｂとから所望の外形形状に形成されている。
【特許文献１】特開２００１−１１８４８７号公報
【発明の開示】
【発明が解決しようとする課題】
【０００３】
しかしながら、前記従来の電気接続箱５０では、ヒューズキャビティ部５２とヒューズ５７とを製造する際に、ヒューズ収容室５６を備えたヒューズキャビティ部５２を樹脂成形により形成する金型と、ヒューズ５７を形成する金型とが必要であるため、金型のコストアップになるという問題点があった。特に、ヒューズキャビティ部５２を成型する金型は、ヒューズ収容室５６用のコマが必要であるため、金型設計及び製造が煩雑であった。
【０００４】
そこで、本発明は、前記した課題を解決すべくなされたものであり、ヒューズ可溶体を取り付けるものにあって、金型のコスト低減を図ることができる電気接続箱を提供することを目的とする。
【課題を解決するための手段】
【０００５】
請求項１の発明は、接続箱本体にヒューズキャビティ部を備えた電気接続箱において、前記ヒューズキャビティ部に複数のヒューズ可溶体をインサート成形してヒューズ一体型キャビティを形成し、且つ、このヒューズ一体型キャビティの前記ヒューズキャビティ部を前記接続箱本体に一体成形したことを特徴とする。
【０００６】
請求項２の発明は、接続箱本体にヒューズキャビティ部を備えた電気接続箱において、前記ヒューズキャビティ部に複数のヒューズ可溶体をインサート成形してヒューズ一体型キャビティを形成し、このヒューズ一体型キャビティを接続箱本体に着脱自在に取り付けたことを特徴とする。
【０００７】
請求項３の発明は、請求項２記載の電気接続箱であって、前記ヒューズキャビティ部にロック部を一体成形により形成し、このロック部を前記接続箱本体のロック嵌合部に嵌合することで前記ヒューズ一体型キャビティを該接続箱本体に着脱自在に取り付けたことを特徴とする。
【０００８】
請求項４の発明は、接続箱本体にヒューズキャビティ部を備えた電気接続箱において、前記ヒューズキャビティ部に単一のヒューズ可溶体をインサート成形すると共にロック部を一体成形してヒューズ一体型キャビティを形成し、前記ロック部を前記接続箱本体のロック嵌合部に嵌合することで前記ヒューズ一体型キャビティを該接続箱本体に着脱自在に取り付けたことを特徴とする。
【発明の効果】
【０００９】
請求項１の発明によれば、ヒューズキャビティ部にヒューズ可溶体をインサート成形してヒューズ一体型キャビティを形成するため、単一の金型で製造でき、その金型にはキャビティ収容室用のコマが必要ない。これにより、金型のコスト低減を図ることができる。つまり、従来例では、ヒューズとヒューズキャビティ部とを別々に金型で成形し、成形後にヒューズキャビティ部にヒューズを取り付けていたが、本発明ではこれらを一体成形するため、単一の金型で製造できる。また、ヒューズ一体型キャビティを接続箱本体に一体成形するため、ヒューズ一体型キャビティを接続箱本体に取り付ける作業が必要ないため、ヒューズの取り付け作業自体を省略できる。さらに、従来のミニヒューズや低背ヒューズのようにヒューズの外形形状にこだわることなくヒューズ可溶体の形状を自由形状にできる。また、従来例のようにヒューズとヒューズキャビティ部が別体でないため、隣接するヒューズ可溶体間を十分に近接配置できることからヒューズ設置スペースを省スペース化できる。
【００１０】
請求項２の発明によれば、ヒューズキャビティ部にヒューズ可溶体をインサート成形してヒューズ一体型キャビティを形成するため、単一の金型で製造でき、その金型にはキャビティ収容室用のコマが必要ない。これにより、金型のコスト低減を図ることができる。つまり、従来例では、ヒューズとヒューズキャビティ部とを別々に金型で成形し、成形後にヒューズキャビティ部にヒューズを取り付けていたが、本発明ではこれらを一体成形するため、単一の金型で製造できる。また、複数のヒューズ可溶体を有するヒューズ一体型キャビティを接続箱本体に取り付ければ、一度に複数のヒューズ可溶体の取り付けができるため、ヒューズ可溶体の取り付ける作業が容易になる。また、ヒューズ一体型キャビティを自由に各種の接続箱本体に取り付けできるため、汎用性の向上になる。さらに、従来のミニヒューズや低背ヒューズのようにヒューズの外形形状にこだわることなくヒューズ可溶体の形状を自由形状にできる。また、従来例のようにヒューズとヒューズキャビティ部が別体でないため、隣接するヒューズ可溶体間を十分に近接配置できることからヒューズ設置スペースを省スペース化できる。
【００１１】
請求項３の発明によれば、請求項２の発明の効果に加え、ヒューズ一体型キャビティを接続箱本体に容易に取り付けできる。
【００１２】
請求項４の発明によれば、ヒューズキャビティ部にヒューズ可溶体をインサート成形してヒューズ一体型キャビティを形成するため、単一の金型で製造でき、その金型にはキャビティ収容室用のコマが必要ない。これにより、金型のコスト低減を図ることができる。つまり、従来例では、ヒューズとヒューズキャビティ部とを別々に金型で成形し、成形後にヒューズキャビティ部にヒューズを取り付けていたが、本発明ではこれらを一体成形するため、単一の金型で製造できる。また、従来のミニヒューズや低背ヒューズのようにヒューズの外形形状にこだわることなくヒューズ可溶体の形状を自由形状にできる。さらに、従来例のようにヒューズとヒューズキャビティ部が別体でないため、ヒューズ設置スペースを省スペース化できる。
【００１３】
また、ヒューズ一体型キャビティのロック部を接続箱本体のロック嵌合部にロックさせることにより取り付けできるため、ヒューズ一体型キャビティを接続箱本体に取り付ける作業が容易になる。さらに、ヒューズ一端型キャビティを１つ単位で接続箱本体より取り外しできるため、メンテナンス性に優れている。
【発明を実施するための最良の形態】
【００１４】
以下、本発明の実施形態を図面に基づいて説明する。
【００１５】
図１及び図２は本発明の第１実施形態を示し、図１は電気接続箱の要部の概略斜視図、図２は電気接続箱の要部の概略側面図である。
【００１６】
図１及び図２に示すように、電気接続箱１Ａは、ジャンクションボックス、リレーボックス、ヒュージブルボックス等であり、電気部品が搭載されたり、所定の配線が配索される接続箱本体２を有する。この接続箱本体２は、合成樹脂製のメインカバー３と合成樹脂製のロアカバー４を有し、メインカバー３の上面にはヒューズ一体型キャビティ５が一体成形により設けられている。ヒューズ一体型キャビティ５は、ヒューズキャビティ部６に複数のヒューズ可溶体７がインサート成形することにより形成されている。つまり、メインカバー３にヒューズキャビティ部６を一体成形する成形と、そのヒューズキャビティ部６内に複数のヒューズ可溶体７をインサート成形する成形とを同時に行うことによって形成されるようになっている。
【００１７】
この第１実施形態では、ヒューズキャビティ部６にヒューズ可溶体７をインサート成形してヒューズ一体型キャビティ５を形成するため、単一の金型で製造でき、その金型にはキャビティ収容室用のコマが必要ない。これにより、金型のコスト低減を図ることができる。つまり、従来例では、ヒューズとヒューズキャビティ部とを別々に金型で成形し、成形後にヒューズキャビティ部にヒューズを取り付けていたが、本発明ではこれらを一体成形するため、単一の金型で製造できる。
【００１８】
また、ヒューズ一体型キャビティ５をメインカバー３に一体成形するため、ヒューズ一体型キャビティ５を接続箱本体２に取り付ける作業が必要ないため、ヒューズの取り付け作業自体を省略できる。さらに、従来のミニヒューズや低背ヒューズのようにヒューズの外形形状にこだわることなくヒューズ可溶体７の形状を自由形状にできる。また、従来例のようにヒューズとヒューズキャビティ部が別体でないため、隣接するヒューズ可溶体７間を十分に近接配置できることからヒューズ設置スペースを省スペース化できる。
【００１９】
図３は本発明の第２実施形態を示し、電気接続箱の要部の概略斜視図である。
【００２０】
図３に示すように、第２実施形態の電気接続箱１Ｂは、前記第１実施形態と比較して、接続箱本体２の合成樹脂製のメインカバー３と別体にヒューズ一体型キャビティ５が形成されている。このヒューズ一体型キャビティ５は、ヒューズキャビティ部６に複数のヒューズ可溶体７をインサート成形して形成されると共に、ヒューズキャビティ部６にはロック部８が一体成形により設けられている。また、接続箱本体２のメインカバー３にはロック嵌合部９が一体成形により設けられている。そして、ヒューズ一体型キャビティ５のロック部８をメインカバー３のロック嵌合部９にロックさせることによりヒューズ一体型キャビティ５が接続箱本体２に着脱自在に取り付けられるようになっている。
【００２１】
この第２実施形態では、前記第１実施形態と同様に、ヒューズキャビティ部６にヒューズ可溶体７をインサート成形してヒューズ一体型キャビティ５を形成するため、単一の金型で製造でき、その金型にはキャビティ収容室用のコマが必要ない。これにより、金型のコスト低減を図ることができる。つまり、従来例では、ヒューズとヒューズキャビティ部とを別々に金型で成形し、成形後にヒューズキャビティ部にヒューズを取り付けていたが、本発明ではこれらを一体成形するため、単一の金型で製造できる。
【００２２】
また、複数のヒューズ可溶体７を有するヒューズ一体型キャビティ５をメインカバー３に取り付ければ、一度に複数のヒューズ可溶体７の取り付けができるため、ヒューズ可溶体７の取り付け作業が容易である。また、ヒューズ一体型キャビティ５を自由に各種の接続箱本体（ジャンクションボックス用、リレーボックス用など）に取り付けできるため、汎用性の向上になる。さらに、従来のミニヒューズや低背ヒューズのようにヒューズの外形形状にこだわることなくヒューズ可溶体の形状を自由形状にできる。また、従来例のようにヒューズとヒューズキャビティ部が別体でないため、隣接するヒューズ可溶体７間を十分に近接配置できることからヒューズ設置スペースを省スペース化できる。
【００２３】
上記第２実施形態では、ヒューズキャビティ部６にはロック部８を一体成形して設け、ロック部８をメインカバー３のロック嵌合部９に嵌合することによりヒューズ一体型キャビティ５を接続箱本体２に着脱自在に取り付けたので、ヒューズ一体型キャビティ５を接続箱本体２に容易に取り付けできる。
【００２４】
図４は本発明の第３実施形態を示し、電気接続箱の要部の概略斜視図である。
【００２５】
図４に示すように、第３実施形態の電気接続箱１Ｃは、前記第２実施形態と比較して、ヒューズキャビティ部６に単一のヒューズ可溶体７のみをインサート成形してヒューズ一体型キャビティ５が形成されている。ヒューズ一体型キャビティ５のヒューズキャビティ部６にはロック部８が一体成形により設けられ、接続箱本体２の合成樹脂製のメインカバー３にはロック嵌合部９が一体成形により設けられている。そして、ヒューズ一体型キャビティ５のロック部８をメインカバー３のロック嵌合部９にロックさせることによりヒューズ一体型キャビティ５が接続箱本体２に取り付けられている。
【００２６】
この第３実施形態では、前記第１、第２実施形態と同様に、ヒューズキャビティ部６にヒューズ可溶体７をインサート成形してヒューズ一体型キャビティ５を形成するため、単一の金型で製造でき、その金型にはキャビティ収容室用のコマが必要ない。これにより、金型のコスト低減を図ることができる。つまり、従来例では、ヒューズとヒューズキャビティ部とを別々に金型で成形し、成形後にヒューズキャビティ部にヒューズを取り付けていたが、本発明ではこれらを一体成形するため、単一の金型で製造できる。
【００２７】
また、従来のミニヒューズや低背ヒューズのようにヒューズの外形形状にこだわることなくヒューズ可溶体７の形状を自由形状にできる。更に、従来例のようにヒューズとヒューズキャビティ部が別体でないため、ヒューズ設置スペースを省スペース化できる。
【００２８】
また、ヒューズ一体型キャビティ５のロック部８をメインカバー３のロック嵌合部９にロックさせることにより着脱自在に取り付けできるため、ヒューズ一体型キャビティ５を接続箱本体２に取り付ける作業が容易である。また、ヒューズ可溶体７を１つ単位で接続箱本体２より取り外しできるため、メンテナンス性に優れている。
【００２９】
尚、前記第１〜第３実施形態において、ヒューズ可溶体７の色を種々に変えてヒューズ一体型キャビティ５を形成しても良い。
【図面の簡単な説明】
【００３０】
【図１】本発明の第１実施形態を示し、電気接続箱の要部の概略斜視図である。
【図２】本発明の第１実施形態を示し、電気接続箱の要部の概略側面図である。
【図３】本発明の第２実施形態を示し、電気接続箱の要部の概略斜視図である。
【図４】本発明の第３実施形態を示し、電気接続箱の要部の概略斜視図である。
【図５】従来例を示し、電気接続箱の要部の斜視図である。
【符号の説明】
【００３１】
１Ａ，１Ｂ，１Ｃ  電気接続箱
２  接続箱本体
３  メインカバー
５  ヒューズ一体型キャビティ
６  ヒューズキャビティ部
７  ヒューズ可溶体
８  ロック部
９  ロック嵌合部
【図１】
2005174761.tif 000003
【図２】
2005174761.tif 000004
【図３】
2005174761.tif 000005
【図４】
2005174761.tif 000006
【図５】
2005174761.tif 000007